(57)【要約】【課題】コンタクト間の配置ピッチを小さくすることができ、一つの工程で完成させることが可能である接触圧の設定が容易なカメラモジュールソケットの提供。【解決手段】カメラモジュール収容部５０の底板４０をコンタクト２０と連結部材３０で構成し、コンタクト２０は略帯状薄板を折り返して形成し、折り返された一方の外部接続端子２４を有する固定側コンタクト片２２を連結部材で保持し、他方の可動側コンタクト片２３にはカメラモジュールの出力端子パッドに接触する弾性接触部２７を形成し、隣り合ったコンタクト２０の間にはコンタクト２０を保持する連結部材３０の一部のみが介在する構成とした。【選択図】図１
2012129177.tif 000002
【特許請求の範囲】
【請求項１】
略角筒状のシールド周壁部材と底板からなるカメラモジュール収容部を有し、前記底板は複数のコンタクトと該コンタクトを保持する連結部材からなるカメラモジュールソケットにおいて、前記コンタクトは、折り返し部と、該折り返し部にて折り返された一方側である固定側コンタクト片と、他方側である可動側コンタクト片とからなり、前記固定側コンタクト片は、前記連結部材に前記固定側コンタクト片の左右両側辺が保持され、前記折り返し部の反対側に位置する端部には電気回路基板に接続される外部接続端子が形成され、前記可動側コンタクト片には、カメラモジュール収容部にカメラモジュールが組み入れられた状態において弾性変形しカメラモジュールの出力端子パッドに弾性接触する弾性接触部が形成されていることを特徴とするカメラモジュールソケット。
【請求項２】
前記連結部材の形成、および前記固定側コンタクト片の左右両側辺の保持は一体成形によるものであることを特徴とする請求項１に記載のカメラモジュールソケット。
【請求項３】
前記固定側コンタクト片は、前記外部接続端子側に寄った前記左右両側片の一部が前記連結部材によって保持されていることを特徴とする請求項１又は請求項２に記載のカメラモジュールソケット。
【請求項４】
前記コンタクトの前記外部接続端子と前記弾性接触部の位置関係は、カメラモジュールが組み入れられる方向において、前記外部接続端子が前記弾性接触部のほぼ真下に位置する関係にあることを特徴とする請求項１、請求項２又は請求項３に記載のカメラモジュールソケット。
【発明の詳細な説明】
【技術分野】
【０００１】  本発明は、携帯電話等の電子機器に用いるカメラモジュールを電子機器に取り付ける際に用いるカメラモジュールソケットに関するものである。
【背景技術】
【０００２】  携帯電話等の電子機器に使用される撮像素子を有するカメラモジュールは、電子機器の電気回路基板に実装されたカメラモジュールソケットに組み込まれて使用されるのが一般的である。そして近年、携帯電話等の高機能化に伴いカメラモジュールに高い撮像機能が求められると同時に、小型化およびコストの削減も求められており、これに対応するカメラモジュールソケットの開発が要求されている。【０００３】  これらの要求を満たすものとして開発された従来例の一つとして図７および図８に示すカメラモジュールソケット０１０がある。カメラモジュールソケット０１０は略角筒状に形成された外周フレーム０２０と、その筒状部の一方を塞ぐ底板部０３０からなり、外周フレーム０２０と底板部０３０とによってカメラモジュールを組み入れる開口部０４０が形成され、開口部０４０には外周フレーム０２０から弾性変形可能でありカメラモジュールが組み込まれた際に保持を行うラッチ部０２１が設けられ、底板部０３０には開口部方向に折曲されカメラモジュールが組み入れられた際にカメラモジュールの出力端子パッドに弾性接触することとなる接触片部０３１、および接触片部０３１から連続しモジュールソケットがプリント配線基板に実装される際に半田による接続が行われる出力端子部０３２とからなる複数のコンタクト０３３が備えられ、それらコンタクト０３３を整列し一体に形成するための連結部材０３４によって底板部０３０が形成されるものである。【０００４】  そして、この開口部０４０に組み入れられたカメラモジュールはラッチ部０２１によって保持され、カメラモジュールの底面に配置された出力端子パッドに接触片部０３１が接触し、出力端子部０３２と電気回路基板との接続を介してカメラモジュールと電子機器の間の電気信号のやり取りが可能となるものである。【０００５】  また、その他の従来例として特開２０００−２７６６２４号公報に示すカメラモジュールソケットがある。コンタクトを、モジュールソケットの外形を形成するソケットハウジングに挿入し、コンタクト配置を工夫することにより小型化するものである。
【先行技術文献】
【特許文献】
【０００６】
【特許文献１】特開２００５−２７６６２４号公報
【発明の概要】
【発明が解決しようとする課題】
【０００７】しかしながら、図７および図８に示す従来例では、底板部０３０を構成するコンタクト０３３は接触片部０３１が出力端子部０３２を含む枠状部０３５から切り起こされているため、連結部材０３４によって複数のコンタクト０３３が整列した際には、隣り合ったコンタクト０３３の間には枠状部０３５を形成する２本の梁０３６が存在することとなり、これによってコンタクト間の間隔は大きなものとなっていた。【０００８】  また、接触片部０３１は枠状部０３５の一端から切り起こされているため、接触片部０３１の長さはコンタクトの長さよりも小さなものとなり、故に接触片部０３１の弾性力を一定に設定するためには一定のコンタクト０３３の長さが必要となり、これによってカメラモジュールソケット０１０の外形が制限されるという問題点を有していた。【０００９】  そこで本発明は、上述の問題を鑑み、カメラモジュールの小型化に対応でき、且つカメラモジュールの高機能化に伴う出力端子パッド数の増加に対しても対応可能である部品点数の少ない低コストなカメラモジュールソケットの提供を目的としたのである。
【課題を解決するための手段】
【００１０】  この従来の問題を解決するために、請求項１記載のカメラモジュールソケットは、略角筒状のシールド周壁部材と底板からなるカメラモジュール収容部を有し、前記底板は複数のコンタクトと該コンタクトを保持する連結部材からなるカメラモジュールソケットにおいて、前記コンタクトは、折り返し部と、該折り返し部にて折り返された一方側である固定側コンタクト片と、他方側である可動側コンタクト片とからなり、前記固定側コンタクト片は、前記連結部材に前記固定側コンタクト片の左右両側辺が保持され、前記折り返し部の反対側に位置する端部には電気回路基板に接続される外部接続端子が形成され、前記可動側コンタクト片には、カメラモジュール収容部にカメラモジュールが組み入れられた状態において弾性変形しカメラモジュールの出力端子パッドに弾性接触する弾性接触部が形成されていることを特徴とするものである。【００１１】  請求項２記載のカメラモジュールソケットは、請求項１の構成に加え、前記連結部材の形成、および前記固定側コンタクト片の左右両側辺の保持は一体成形によるものであることを特徴とするものである。【００１２】  請求項３記載のカメラモジュールソケットは、請求項１又は請求項２の構成に加え、前記固定側コンタクト片は、前記外部接続端子側に寄った前記左右両側片の一部が前記連結部材によって保持されていることを特徴とするものである。【００１３】  請求項４記載のカメラモジュールソケットは、請求項１、請求項２又は請求項３の構成に加え、前記コンタクトの前記外部接続端子と前記弾性接触部の位置関係は、カメラモジュールが組み入れられる方向において、前記外部接続端子が前記弾性接触部のほぼ真下に位置する関係にあることを特徴とするものである。
【発明の効果】
【００１４】  請求項１の発明によると、コンタクトの保持が、連結部材による固定側コンタクト片の左右両側辺の保持によってなされる構造であるため、隣り合ったコンタクトの間には連結部材の一部のみが介在するだけとなり、これによって隣り合うコンタクト間の距離、すなわちコンタクトの配置ピッチを小さく設定でき、カメラモジュールソケットの小型化、および多くのコンタクトの設置が可能となる。またコンタクトは、折り返し部を有した形状であるため弾性変形可能な範囲を大きくとることができ、これによってカメラモジュールの出力端子パッドに接触する弾性接触部の接触圧力の設定に大きな自由度を持たせることが可能となる。【００１５】  請求項２の発明によると、連結部材の形成、および前記固定側コンタクト片の左右両側辺の保持は一体成形によるものであるため、隣り合ったコンタクトの間には連結部材の一部のみが介在するだけとなり、また連結部材は一体成形により成形されることから保持機能を有する最小の大きさに形成することが可能となり、これによって隣り合うコンタクト間の距離をより小さく設定でき、カメラモジュールソケットの小型化および、より多くのコンタクトの設置が可能となる。【００１６】  請求項３の発明によると、固定側コンタクト片は前記外部接続端子側に寄った前記左右両側片の一部が前記連結部材によって保持されているのみであるため、コンタクトの弾性変形可能な範囲はより大きくなり、これによって弾性接触部のカメラモジュールの出力端子パッドへの接触圧力の設定により大きな自由度をもたせることが可能となる。【００１７】  請求項４の発明によると、前記コンタクトの前記外部接続端子と前記弾性接触部の位置関係が、カメラモジュールが組み入れられる方向において、前記外部接続端子が前記弾性接触部のほぼ真下に位置する関係にあることにより、カメラモジュールが組み入れられた際、カメラモジュールの出力端子パッドから弾性接触部に及ぶ接触圧力の作用点と、電気回路基板と接続する外部接続端子の位置とが、底板に平行な平面方向においてほぼ一致することとなり、これによってカメラモジュールの組み込みによって生じる接触圧力が、外部接続端子と電気回路基板との接続強度に荷担することとなり、外部接続端子と電気回路基板との接続がより安定したものとなる。
【図面の簡単な説明】
【００１８】
【図１】本発明に係るカメラモジュールソケットの正面側斜視図
【図２】本発明に係るカメラモジュールソケットの底面側斜視図
【図３】図１のＡ−Ａ線における断面図
【図４】図１の一部拡大図
【図５】本発明に係るカメラモジュールに組み込まれるコンタクトの斜視図
【図６】本発明に係るカメラモジュールに形成される連結部材の斜視図
【図７】従来のカメラモジュールソケットの斜視図
【図８】従来のカメラモジュールソケットに組み込まれるコンタクトの斜視図
【発明を実施するための形態】
【００１９】  以下、本発明の実施の形態を図面を参照して詳細に説明する。図１乃至図６は本発明の実施の形態を示したものであり、図１は本発明に係るカメラモジュールソケットの正面側斜視図、図２は本発明に係るカメラモジュールソケットの底面側斜視図、図３は図１のＡ−Ａ線における断面図、図４は図１の一部拡大図、図５は本発明に係るカメラモジュールに組み込まれるコンタクトの斜視図、図６は本発明に係るカメラモジュールに形成される連結部材の斜視図である。カメラモジュールソケット０１はシールド周壁部材１０、コンタクト２０、および底板４０を形成する連結部材３０とからなる。
【００２０】  シールド周壁部材１０は導電性金属からなる略角筒形状であり、全ての側面１５には各々二箇所にカメラモジュールの平面方向のがたつきを抑えるために深さ方向に内側に切り起こされた弾性舌片１１が形成され、一組の対向した側面１５には弾性舌片１１と同様に切り起こされ、組み入れられるカメラモジュールの高さに応じて自由端が外側方向に折り返された弾性変形可能なラッチ形状のストッパー１２が形成される。また、各々の側面１５の下部の両端には、カメラモジュール（図示せず）が電気回路基板（図示せず）に実装される際に電気回路基板の接地回路パターンに半田付けにて接続される接地端子１３が形成されている。さらに一組の対向した側面１５の下部の両端には側面１５に対してほぼ直角に内側方向に曲げられた底板連結部１４が設けられている。
【００２１】  コンタクト２０は導電性金属からなる略帯状の薄板（例えば厚み０．１ｍｍ）を折り返し部２１にて断面が略Ｕ字状または略Ｖ字状となる様に折り返して形成したものであり、折り返し部２１にて折り返された一方の略帯状片を固定側コンタクト片２２とし、他方の略帯状片を可動側コンタクト片２３とするものである。固定側コンタクト片２２は、折り返し部２１から一定距離の範囲が折り返し部２１の幅で形成され、その先連続して折り返し部２１の幅よりも大きな幅を有する保持部２５が形成される。そして保持部２５の先端には折り返し部２１における幅よりも小さな幅で形成される外部接続端子２４が形成される。また、保持部２５の長手両辺には内側方向に広がる形状の保持用切り欠き部２６が形成されている。そして可動側コンタクト片２３の先端部には断面形状において湾曲状の弾性接触部２７が形成されている。
【００２２】  連結部材３０は絶縁材料からなり、略正方形の平板状に形成され、各辺には各々の辺にほぼ直角方向に形成された複数のスリット３１が櫛歯状に形成される。そして、この連結部材３０はシールド周壁部材１０およびコンタクト２０と共に一体成形によって形成され、これによってコンタクト２０が連結部材３０によって保持されて底板４０が形成され、底板４０が連結部材３０によってシールド周壁部材１０の底板連結部１４に固定され、これによってカメラモジュール０１が完成する。以下にこの一体成形の工程について詳しく説明する。
【００２３】  まずシールド周壁部材１０の内側に複数のコンタクト２０を配置する。この際、組み入れられるカメラモジュールの外形および出力端子パッドの位置に対応してシールド周壁部材１０の位置とコンタクト２０の弾性接触部２７の位置が決定される。さらに各々のコンタクト２０は折り返し部２１をシールド周壁部材１０の側面１５に最も接近させ、コンタクト２０の長手方向が側面１５に対してほぼ直角となるように複数個のコンタクト２０が平行に配置される。
【００２４】  次に、この状態において連結部材３０を成形する金型によって連結部材が形成されると共に、シールド周壁部材１０とコンタクト２０との一体成形が行われ、コンタクト２０が連結部材３０に保持され、シールド周壁部材１０が底板連結部１４において連結部材３０に固定されることとなる。
【００２５】  なお、一体成形による連結部材３０によるコンタクト２０の保持は、コンタクト２０の保持部２５の長手方向の両側辺２８が連結部材３０の櫛歯状に形成された各々のスリット３１の両側にある凸部３３によって覆われ密着されることにより行われる。ここで両側辺２８が連結部材３０によって保持される範囲は適時定められるため、この保持範囲を調整することによりコンタクト２０の弾性変形可能な範囲の調整が可能となり、これによりコンタクト２０の弾性接触部２７と、組み入れられるカメラモジュールの出力端子パッドとの接触圧の設定が容易に行えることとなる。
【００２６】  また、このような保持方法により隣り合うコンタクト２０の間には、例えれば、接着剤の役目を果たすこととなる連結部材３０の凸部３３のみが介在するだけとなり、しかも一体成形によって成形される凸部３３は保持しろを確保するだけの幅があれば十分であることから、隣り合うコンタクト２０の間隔を小さくできるというカメラモジュールソケット０１の小型化にとって大きな効果をもたらすこととなる。そして本実施例におけるコンタクト２０は、長手方向において折り返し部２１から一定距離離れた箇所から外部接続端子の付け根までである保持部２５の一部が連結部材３０によって保持されているため、コンタクトの弾性変形可能な部分は、可動側コンタクト片２３、折り返し部２１、および折り返し部２１から連結部材３０による保持がなされていない一定距離範囲を加えたものとなり、これによって組み込まれるカメラモジュールの出力端子パッドに対する接触圧を大きな自由度をもって設定することが可能となる。
【００２７】  次にカメラモジュール０１が電気回路基板に実装され、カメラモジュールが組み込まれる状態について説明する。カメラモジュールソケット０１は、コンタクト２０の外部接続端子２４が電気回路基板に載置され半田によって固定される。この際、シールド周壁部材１０の接地端子１３も電気回路基板の接地パターンに接地することとなり、この箇所でも半田による接続が行われ、カメラモジュールソケット０１の電気回路基板への実装が完了する。
【００２８】  そして、この状態でカメラモジュールが組み込まれる。カメラモジュールは、カメラモジュールの底面に設けられた各々の出力端子パッドが各々のコンタクト２０の弾性接触部２７に対応するように開口部５０に挿入され、シールド周壁部材１０に設けられた弾性舌片１１によってカメラモジュールの各側面が押圧されることによりカメラモジュールの平面方向の位置が規制され、ストッパー１２の折り曲げ片がカメラモジュールの上面に配置されることによってカメラモジュールが完全に組み入れられることとなる。そして、この状態でカメラモジュールの出力端子パッドはコンタクト２０を押圧し弾性変形させ、弾性接触部２７が適切な接触圧で出力端子パッドと接触し、これによってカメラモジュールと電気回路基板とがカメラモジュール０１を介して導通状態となる。
【００２９】  以上、述べたように、本発明はシールド周壁部材１０とコンタクト２０とを一体成形することのみでカメラモジュールソケット０１を完成させるものであり、これにより部品コスト、組み立てコストの削減が可能となる。またコンタクト２０を略帯状の薄板を折り曲げにより形成したシンプルな形状とし、各々のコンタクト間には一体成形で形成される連結部材３０の一部が介在するだけとしたため、各コンタクトの配置ピッチをより小さくでき、これによってカメラモジュールソケット０１の小型化が可能になるものである。
【００３０】  なお、本実施例はカメラモジュールを対象としたカメラモジュールソケット０１であるが、本発明の構成はカメラモジュール以外の各種モジュールを対象としたソケットにも適用することが可能である。
【符号の説明】
【００３３】０１  カメラモジュールソケット
１０  シールド周壁部材
１１  弾性舌片
１２  ストッパー
１３  接地端子
１４  底面連結部
１５  側面
２０  コンタクト
２１  折り返し部
２２  固定側コンタクト片
２３  可動側コンタクト片
２４  外部接続端子
２５  保持部
２６  保持用切り欠き部
２７  弾性接触部
２８  両側片
３０  連結部材
３１  スリット
３２  側片
３３  凸部
４０  底板
５０  開口部
【図１】
2012129177.tif 000003
【図２】
2012129177.tif 000004
【図３】
2012129177.tif 000005
【図４】
2012129177.tif 000006
【図５】
2012129177.tif 000007
【図６】
2012129177.tif 000008
【図７】
2012129177.tif 000009
【図８】
2012129177.tif 000010